(57)【要約】【課題】  貨幣入出金装置から入金額情報を取得する商品販売データ処理装置において、現金での複数回の入金処理を行えるようにする。【解決手段】  入金開始キーが操作されたのを条件に、貨幣入出金装置に対して入金受け付けの開始を指示する入金開始コマンドを送信し（ステップＳ４）、確定キーが操作されたのを条件に、貨幣入出金装置に対して入金受け付けを終了して当該入金動作での入金額情報の通知を要求する（ステップＳ６）。このような処理に基づいて取得した預かり金額が商品の合計金額以上であるのを条件に、締め処理の実行を許可するようにし（ステップＳ１０）、入金開始キー及び確定キーによる入金開始コマンド及び入金額情報通知コマンドの送信は、締め処理の実行が開始される前まで、繰り返し実行可能とする。これにより、現金での複数回の入金処理を行うことができる。【選択図】    図４
2006048331.tif 000002
【特許請求の範囲】
【請求項１】
入力された商品情報に基づいて商品の売上登録処理をしてから締め処理を実行する商品販売データ処理装置において、
入金開始キーと、
確定キーと、
貨幣の入金動作を実行し入金された貨幣の金額に関する入金額情報を取得する貨幣入出金装置とのデータ通信を司るデータ通信手段と、
預かり金額を取得する取得手段と、
前記入金開始キーが操作されたのを条件に、前記貨幣入出金装置に対して入金受け付けの開始を指示する入金開始コマンドを送信する第１の送信手段と、
前記確定キーが操作されたのを条件に、前記貨幣入出金装置に対して入金受け付けを終了して当該入金動作での前記入金額情報の通知を要求する入金額情報通知コマンドを送信する第２の送信手段と、
前記取得手段を構成し、受信した前記入金額情報に基づいて前記貨幣入出金装置に対する入金額を取得する手段と、
取得された前記預かり金額が登録された商品の合計金額以上であるのを条件に、締め処理の実行を許可する許可手段と、
を備え、
前記第１及び第２の送信手段による前記入金開始コマンド及び入金額情報通知コマンドの送信は、締め処理の実行が開始される前まで、繰り返し実行可能であることを特徴とする商品販売データ処理装置。
【発明の詳細な説明】
【技術分野】
【０００１】
本発明は、貨幣入出金装置が接続されるＥＣＲ（Electronic Cash Register：電子式キャッシュレジスタ）やＰＯＳ（Point Of Sales：販売時点管理）端末等の商品販売データ処理装置に関する。
【背景技術】
【０００２】
従来、例えばＰＯＳ端末に貨幣入出金装置を接続して構成したシステムがある。このようなシステムには、ＰＯＳ端末での清算業務に伴い、キャッシャが顧客から商品の代金として預かった現金を貨幣入出金装置に入金することにより、貨幣入出金装置において入金額が計数されてＰＯＳ端末に送信されるものがある（例えば、特許文献１）。そして、キャッシャが締めを宣言する預／現計キーを押下することにより、その預かり金額に基づいて締め処理がなされ、レシート発行がなされて、釣銭がある場合には貨幣入出金装置から釣銭が払いだされ、取引を終了する。このようにすることで、預かり金額の計数が自動で行われるので、預かり金額が正確に入力されるとされている。
【０００３】
また、ＰＯＳ端末には、上述した預／現計キーのほかに、例えば商品券での代金支払いを宣言する商品券キーが設けられているものがある。この商品券キーをキャッシャが押下することにより、商品券による精算が受け付けられる。
【０００４】
【特許文献１】特開２００３−３４６２４６公報
【発明の開示】
【発明が解決しようとする課題】
【０００５】
このようなシステムにおいて、商品代金が６００円の場合に、顧客が１００円をキャッシャに手渡し、残金は商品券で支払う旨をキャッシャに伝えた場合、キャッシャは、まず、顧客から受け取った１００円を貨幣入出金装置に入金して、預／現計キーを押す。これにより、貨幣入出金装置からＰＯＳ端末へ入金額が１００円である旨が入力される。そして、キャッシャは顧客から額面５００円の商品券を受け取ったならば、商品券キーを押下して商品券に印字されたバーコード化された額面金額をバーコードスキャナ１１でスキャニングする。これにより、ＰＯＳ端末は、商品券による５００円の預かりが有ったと認識する。そして、これで預かり金額が合計６００円となったので、ＰＯＳ端末は、締め処理を実行しレシートを発行する。
【０００６】
このような場合において、キャッシャが顧客から受け取った１００円を貨幣入出金装置に入金して、預／現計キーを押し、これにより、貨幣入出金装置からＰＯＳ端末へ入金額が１００円である旨が入力された後に、顧客がやはり商品券での支払いを取り止め、全額を現金で支払うと申し出る場合を考える。これは、例えば、商品券での支払いでは、釣銭は支払われない場合において、顧客は自分が所持している商品券が額面１０００円であるにもかかわらず、自分が所持している商品券は額面５００円のものであると勘違いしてしまった場合等である。
【０００７】
このような場合には、追加で現金の入金処理をしなければならないが、特許文献１では、このように現金による複数回の入金処理が想定されていないので、一度、預／現計キー押下での現金の入金が終了した後にどのように残金の現金支払いを受け付けるかがわからない。
【０００８】
本発明の目的は、貨幣入出金装置から入金額情報を取得する商品販売データ処理装置において、現金での複数回の入金処理を行えるようにすることである。
【課題を解決するための手段】
【０００９】
本発明は、入金開始キーと、確定キーと、貨幣の入金動作を実行し入金された貨幣の金額に関する入金額情報を取得する貨幣入出金装置とのデータ通信を司るデータ通信手段と、預かり金額を取得する取得手段と、前記入金開始キーが操作されたのを条件に、前記貨幣入出金装置に対して入金受け付けの開始を指示する入金開始コマンドを送信する第１の送信手段と、前記確定キーが操作されたのを条件に、前記貨幣入出金装置に対して入金受け付けを終了して当該入金動作での前記入金額情報の通知を要求する入金額情報通知コマンドを送信する第２の送信手段と、前記取得手段を構成し、受信した前記入金額情報に基づいて前記貨幣入出金装置に対する入金額を取得する手段と、取得された前記預かり金額が登録された商品の合計金額以上であるのを条件に、締め処理の実行を許可する許可手段と、を備え、前記第１及び第２の送信手段による前記入金開始コマンド及び入金額情報通知コマンドの送信は、締め処理の実行が開始される前まで、繰り返し実行可能であることを特徴とする。
【発明の効果】
【００１０】
本発明によれば、貨幣入出金装置から入金額情報を取得する商品販売データ処理装置において、現金での複数回の入金処理を行うことができる。
【発明を実施するための最良の形態】
【００１１】
本発明の一実施の形態を図面に基づいて説明する。
【００１２】
図１は、ＰＯＳ端末１、硬貨入出金装置２及び紙幣入出金装置３の外観を示す斜視図である。本実施の形態は、コンビニエンスストア等で使用される商品販売データ処理であるＰＯＳ端末１、このＰＯＳ端末１が載置される貨幣入出金装置である硬貨入出金装置２及び紙幣入出金装置３を備えたシステムへの適用例である。
【００１３】
商品販売データ処理としてのＰＯＳ端末１について説明する。本実施の形態のＰＯＳ端末１は、図１に示すように、硬貨入出金装置２及び紙幣入出金装置３上に載置されている。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５、プリンタ６（図３参照）によって印字される取引レシート等を発行するレシート発行口７及びジャーナル窓８が設けられている。また、ＰＯＳ端末１の右側上方には、操作者側の表示部として機能するディスプレイ９が配置され、このディスプレイ９の近傍には客側の表示部として機能する客側ディスプレイ１０が立設されている。なお、ディスプレイ９には、タッチパネルが積層されており、入力部としても機能する。さらに、このＰＯＳ端末１には、商品に付される商品コードを光学的に読み取るためのバーコードスキャナ１１が接続されている。
【００１４】
図２はキーボード４の各種キーの配列を示す平面図である。キーボード４は、数字を入力するための「０」から「９」までの置数キー４ａ、締めを宣言する締めキーとして機能する預／現計キー４ｂ、商品券による決済を宣言するための商品券キー４ｃ、締めを宣言する締めキー等として機能する実行キー４ｄ、小計キー４ｅ、入金開始キーである入金確認キー４ｆ、確定キー４ｇ等の各種のキーをブロック毎に配列した外観構造を有している。入金確認キー４ｆは、現金での決済を宣言するとともに貨幣入出金装置である硬貨入出金装置２及び紙幣入出金装置３に対して入金受け付けの開始を指示するためのものである。入金確認キー４ｆは、硬貨入出金装置２及び紙幣入出金装置３に対して入金受け付けを終了して入金動作での入金額情報の通知を要求するためのものである。
【００１５】
次に、ＰＯＳ端末１に備えられる各部の電気的接続を図３に基づいて説明する。図３に示すように、このＰＯＳ端末１は、Microcomputer（以下、マイコンという。）１３を内蔵し、このマイコン１３が、前述したキーボード４、コントロールキー５、プリンタ６、ディスプレイ９、客側ディスプレイ１０、バーコードスキャナ１１等の各部をバスライン１４と各種制御回路（図示せず）とを介して駆動制御する。また、マイコン１３は、ＣＰＵ（Central Processing Unit）１５にバスライン１４を介して、起動プログラム等の固定的データを格納する記録媒体であるＲＯＭ（Read Only Memory）１６と各種データを書き替え自在に格納するＲＡＭ（Random Access Memory）１７とを接続することにより構成されている。ＲＡＭ１７は、可変的なデータを書き替え自在に格納する機能を利用して、各種ワークエリアの機能を果たす。ＲＡＭ１７には、後述する売上処理に伴い、売上金額を記憶する売上バッファ、預かり金額を記憶する預かり金額バッファ等の各種バッファが確保される。なお、ＲＡＭ１７は、バッテリ（図示せず）によってバックアップされている。
【００１６】
また、マイコン１３にはバスライン１４を介してＨＤＤ（Hard Disk Drive）１８が接続されており、このＨＤＤ１８には、マイコン１３を動作させる制御プログラムや商品マスタファイル、売上登録に係る売上情報を記憶保持する売上ファイル、ジャーナルファイル等が格納されている。
【００１７】
さらに、マイコン１３にはバスライン１４を介して通信Ｉ／Ｆ１９が接続されており、このＰＯＳ端末１は、硬貨入出金装置２及び紙幣入出金装置３等に接続可能になっている。すなわち、通信Ｉ／Ｆ１９は、貨幣入出金装置である硬貨入出金装置２及び紙幣入出金装置３とのデータ通信を司るデータ通信手段として機能する。
【００１８】
次いで、貨幣入出金装置としての硬貨入出金装置２について簡単に説明する。硬貨入出金装置２は、ハウジング２１の内部に制御部、データ通信部等を備えており、ＰＯＳ端末１との間でのデータ通信可能に構成されている。硬貨入出金装置２では、ハウジング２１の内部に設けられた入出金機構を制御部が駆動制御することにより、ハウジング２１に形成された硬貨投入口２２から入金された硬貨をハウジング２１の内部に金種別に収納する。この際、入金された硬貨を金種毎に計数する。また、ＰＯＳ端末１から硬貨の払出命令があった場合には、命令に応じて硬貨をハウジング２１に形成された硬貨払出口２３に払い出す。
【００１９】
次いで、貨幣入出金装置としての紙幣入出金装置３について簡単に説明する。紙幣入出金装置３は、ハウジング３１の内部に制御部及びデータ通信部を備えており、ＰＯＳ端末１との間でのデータ通信可能に構成されている。紙幣入出金装置３では、ハウジング３１の内部に設けられた入出金機構を制御部が駆動制御することにより、ハウジング３１に形成された紙幣入金口３２から入金された紙幣をハウジング３１の内部に金種別に収納する。この際、入金された紙幣を金種毎に計数する。また、ＰＯＳ端末１から紙幣の払出命令があった場合には、命令に応じて紙幣をハウジング３１に形成された紙幣払出口３３に払い出す。
【００２０】
次に、ＰＯＳ端末１のＨＤＤ１８に格納された制御プログラムがマイコン１３に実行させる機能について説明する。起動後のＰＯＳ端末１では、コントロールキー５の切り換え位置に応じて動作モードが選択される。つまり、コントロールキー５の切り換え位置によって発生する出力信号に応じ、マイコン１３がＰＯＳ端末１の動作モードを登録モード、設定モード、精算モード、点検モード等に設定する。本実施の形態においては、各モードの処理について従来のＰＯＳ端末１によって行なわれる処理と同様の処理についてはその説明を省略する。
【００２１】
次に、本実施の形態のＰＯＳ端末１の有する特長的な機能である売上処理の流れを硬貨入出金装置２,紙幣入出金装置３の動作及びキャッシャの操作手順とともに以下に説明する。ここで、図４は売上処理の流れを概略的に示すフローチャートである。売上処理は、コントロールキー５の切り換え操作によって登録モードに設定されていることを条件として実行される。図４に示すように、売上処理としては、まず、売上商品についてのバーコードスキャナ１１による商品コードの読み取りやキーボード４の置数キー４ａによる商品コードの入力、及びキーボード４の置数キー４ａによる販売個数の入力に待機する（ステップＳ１）。
【００２２】
バーコードスキャナ１１による商品情報である商品コードの読み取り入力、及びキーボード４のキー入力による販売個数の入力等があったと判断すると（ステップＳ１のＹ）、売上登録処理を実行する（ステップＳ２）。この売上登録処理では、入力された商品コードに基づいて商品マスタファイルを検索することにより得られた商品名や単価等に基づく売上処理データをＲＡＭ１７の売上バッファやジャーナルバッファに格納し、その単価等の取引情報をディスプレイ９に表示させる。加えて、ここまでの売上データに基づく商品の合計金額（売上合計金額）を算出し、ＲＡＭ１７の売上バッファに格納してディスプレイ９に表示させる。
【００２３】
ステップＳ１〜Ｓ２の処理は、キーボード４の入金確認キー４ｆが操作されて現金による決済が宣言されたと判断する迄（ステップＳ３のＹ）、又は、商品券キー４ｃが操作されて商品券による決済が宣言されたと判断する迄（ステップＳ１３のＹ）、繰り返される。
【００２４】
入金確認キー４ｆが操作された場合には（ステップＳ３のＹ）、貨幣入出金装置である硬貨入出金装置２及び紙幣入出金装置３に対して入金受け付けの開始を指示する入金開始コマンドを送信する（ステップＳ４）。ここに、ステップＳ４によって、入金開始キーが操作されたのを条件に、貨幣入出金装置に対して入金受け付けの開始を指示する開始コマンドを送信する第１の送信手段の機能が実行される。そして、硬貨入出金装置２及び紙幣入出金装置３への入金を促す画面をディスプレイ９に表示し、キャッシャによるキーボード４の確定キー４ｇの操作がなされるまで（ステップＳ５のＮ）、待機する。
【００２５】
ＰＯＳ端末１から入金開始コマンドを受信した硬貨入出金装置２及び紙幣入出金装置３では、各部を入金動作可能状態にして、入金の受け付けを開始する。
【００２６】
よって、キャッシャは、入金確認キー４ｆを操作後に、顧客から受け取った貨幣のうち硬貨を硬貨入出金装置２に入金し、紙幣を紙幣入出金装置３に入金し、入金後、確定キー４ｇを操作すればよい。
【００２７】
ＰＯＳ端末１では、確定キー４ｇが操作されたならば（ステップＳ５のＹ）、硬貨入出金装置２及び紙幣入出金装置３に対して入金額情報通知コマンドを送信する（ステップＳ６）。入金額情報通知コマンドは、硬貨入出金装置２及び紙幣入出金装置３に対して、入金の受け入れを停止して、当該入金動作による入金額情報として各貨幣の計数結果の通知を要求するコマンドである。ここに、ステップＳ６によって、確定キー４ｇが操作されたのを条件に、貨幣入出金装置に対して入金受け付けを終了して当該入金動作での入金額情報の通知を要求する入金額情報通知コマンドを送信する第２の送信手段の機能が実行される。
【００２８】
ＰＯＳ端末１から入金額情報通知コマンドを受信した硬貨入出金装置２及び紙幣入出金装置３は、入金の受け入れを停止し、当該入金動作による各貨幣の計数結果をＰＯＳ端末１に対して送信する。
【００２９】
ＰＯＳ端末１では、硬貨入出金装置２及び紙幣入出金装置３から各貨幣の計数結果を受信したならば（ステップＳ７のＹ）、受信した各貨幣の計数結果に基づいて硬貨入出金装置２及び紙幣入出金装置３での当該入金動作での入金額を算出し、この入金額を預かり金額としてＲＡＭ１７の預かり金額バッファに記憶させる（ステップＳ８）。ここに、ステップＳ８により、取得手段を構成し、受信した入金額情報に基づいて貨幣入出金装置に対する入金額を取得する手段の機能が実行される。以上のステップＳ３〜Ｓ８の処理は、キーボード４の預／現計キー４ｂが操作され、締め宣言がなされる迄（ステップＳ９のＹ）、繰り返される。
【００３０】
キーボード４の預／現計キー４ｂが操作され、締めが宣言された場合には（ステップＳ９のＹ）、ＲＡＭ１７の預かり金額バッファに記憶されている預かり金額の合計が商品の合計金額以上であるか否かを判定し、締め処理の実行を許可するか否かを決定する（ステップＳ１０）。ＲＡＭ１７の預かり金額バッファに記憶されている預かり金額の合計が商品の合計金額よりも少ないと判定された場合には（ステップＳ１０のＮ）、預かり金額が不足しているので、締め処理の実行を許可せずに、追加入金を指示する内容の画面を操作者側のディスプレイ９に表示させて、預かり金額の不足を報知して追加入金を促す（ステップＳ１２）。そして、ステップＳ３やＳ１３に戻り、預かり金額の再入力処理を再び受け付ける。
【００３１】
一方、ステップＳ１３において、商品券キーが操作されたと判断した場合には（ステップＳ１３のＹ）、商品券の額面金額を取得し、ＲＡＭ１７の預かり金額バッファに記憶させる（ステップＳ１４）。ここに、ステップＳ１４によって、預かり金額を取得する取得手段の機能が実行される。商品券の額面金額は、商品券にバーコード化されて印字された額面金額のバーコードスキャナ１１による読み取り入力によって取得される。そして、実行キー４ｄが押下され、締めが宣言された場合には（ステップＳ１５のＹ）、ステップＳ１０に進む。
【００３２】
そして、以上のような入金額の入力処理によって、ＲＡＭ１７の預かり金額バッファに記憶されている預かり金額の合計が商品の合計金額以上になった場合には締め処理の実行を許可し（ステップＳ１０のＹ）、締め処理を実行する（ステップＳ１１）。ここに、ステップＳ１０により、取得された預かり金額が登録された商品の合計金額以上であるのを条件に、締め処理の実行を許可する許可手段の機能が実行される。
【００３３】
ステップＳ１１の締め処理では、預かり金額と売上金額との差分により釣銭金額を算出し、釣銭が有る場合には、硬貨入出金装置２や紙幣入出金装置３に釣銭払い出しコマンドを送信して、硬貨入出金装置２や紙幣入出金装置３によって釣銭を払い出す。そして、ＲＡＭ１７の売上バッファに記憶された売上処理データを売上ファイルに記憶し、当該売上処理データのうちの所定内容をプリンタ６によって印字させたレシートをレシート発行口７から発行する。また、商品の合計金額（売上合計金額）等により構成されるジャーナルデータをジャーナルバッファに格納し、一取引に係るジャーナルデータを作成する。こうして一取引が終了すると、ジャーナルバッファのジャーナルデータをジャーナルファイルに記憶する。
【００３４】
以上説明したように、本実施の形態においては、預／現計キー４ｂが操作される迄は、入金確認キー４ｆ及び確定キー４ｇを順に操作することにより、硬貨入出金装置２及び紙幣入出金装置３等に対して何度でも入金を行うことができる。
【００３５】
さらに、預かり金額が不足している場合には、預／現計キー４ｂを操作しても締め処理の実行が許可されないが、このときエラーとなることなく、預かり金額が満たされるまで何度でも硬貨入出金装置２及び紙幣入出金装置３に預かり金額の入金を行うことができる。
【００３６】
また、硬貨入出金装置２及び紙幣入出金装置３は、ＰＯＳ端末１において入金確認キー４ｆが操作されることにより送信された入金開始コマンドによって入金の受け付けを開始すればよいので、入金開始コマンドを受信する前は、制御部及びデータ通信部だけが稼働していればよく、他の各部に通電する必要がないので、硬貨入出金装置２及び紙幣入出金装置３の待機時の消費電力の低減を図ることができる。
【００３７】
なお、本実施の形態においては、入金額情報として、硬貨入出金装置２及び紙幣入出金装置３に入金された各貨幣の計数結果を例に説明したが、これに限定するものではない。入金額情報としては、例えば、硬貨入出金装置２及び紙幣入出金装置３に入金された貨幣の金額そのものであってもよい。この場合には、硬貨入出金装置２及び紙幣入出金装置３に、入金された各貨幣の計数結果に基づいて入金額を算出する手段を設ければよい。これにより、ＰＯＳ端末１においては、入金額の計算が必要なくなる。
【００３８】
また、本実施の形態においては、商品販売データ処理装置としてＰＯＳ端末１を適用した例を説明したが、これに限るものではなく、商品販売データ処理装置としては、ＥＣＲ（Electric Cash Register）であってもよい。
【００３９】
また、本実施の形態においては、現金以外の決済手段として商品券を適用した例を説明したが、これに限るものではなく、現金以外の決済手段としては、クーポン券等であってもよい。
【図面の簡単な説明】
【００４０】
【図１】本発明の一実施の形態のＰＯＳ端末、硬貨入出金装置及び紙幣入出金装置の外観を示す斜視図である。
【図２】キーボードの各種キーの配列を示す平面図である。
【図３】ＰＯＳ端末に備えられる各部の電気的接続を示すブロック図である。
【図４】商品販売データ処理の流れを示すフローチャートである。
【符号の説明】
【００４１】
１…ＰＯＳ端末（商品販売データ処理装置）、２…硬貨入出金装置（貨幣入出金装置）、３…紙幣入出金装置（貨幣入出金装置）、４ｆ…入金確認キー（入金開始キー）、４ｇ…確定キー、１９…通信Ｉ／Ｆ（データ通信手段）
【図１】
2006048331.tif 000003
【図２】
2006048331.tif 000004
【図３】
2006048331.tif 000005
【図４】
2006048331.tif 000006